(57)【要約】      （修正有）【課題】容量の調整が可能で通気性と防臭効果を有する人工乳房を提供する。【解決手段】人工乳房１の人工乳房表面部材２，３を伸縮性のある繊維で構成し、人工乳房の充填材として防臭効果を有し、かつストレッチ力のあるネット状の編物、または不織布等を細かく裁断したものを用いる。また、人工乳房端部には充填材の量を調節可能とするための挿入口５を設ける。【選択図】図１
0003162979.tif 000002
【実用新案登録請求の範囲】
【請求項１】
充填材を充填した人工乳房であって、人工乳房の表面部材を伸縮性と通気性のある繊維で乳房形状に形成し、この表面部材の内側にストレッチ力のあるネット状の編物、または不織布等を細かく裁断した充填材を充填したことを特徴とした人工乳房。
【請求項２】
前記乳房形状に形成された人工乳房の表面部材は、立体縫製されていることを特徴とする請求項１記載の人工乳房。
【請求項３】
前記充填材は、防臭効果を有する材料であることを特徴とする請求項１または２記載の人工乳房。
【請求項４】
前記充填材は、伸縮性と重量の違う少なくとも２種類の繊維を裁断したものであることを特徴とする、請求項１ないし３いずれか記載の人工乳房。
【請求項５】
前記乳房形状に形成された人工乳房の表面部材の端部には充填材の量を調節可能とするための挿入口を設けたことを特徴とする請求項１ないし４いずれか記載の人工乳房。
【請求項６】
前記乳房形状に形成された人工乳房の表面部材の外表面にタグを設けたことを特徴とする請求項１ないし５いずれか記載の人工乳房。
【考案の詳細な説明】
【技術分野】
【０００１】
本考案は、乳房切除後に必要な手術痕保護と、乳房切除等による体の左右重量バランスに必要な外見補整、補綴を行うための人工乳房に関するものである。
【背景技術】
【０００２】
癌などにより乳房切除を行うと、胸部はその形態を喪失すると共に、乳房組織を失いその表面は骨格と皮膚だけとなり外部からの衝撃を直接受ける。このような術後の補綴、胸部保護、また発育不全による乳房の左右不均一の補修の目的で、人工乳房が用いられている。この人工乳房は、下着の下に収めて使用されており、医療用シリコン、スポンジ、ウレタン、空気などを充填して形成されたもの（特許文献１参照。）がある。
【先行技術文献】
【特許文献】
【０００３】
【特許文献１】特開平０６−１２１８０６号公報
【考案の概要】
【考案が解決しようとする課題】
【０００４】
このような従来の人工乳房は、シリコンを用いたものにあっては、その重量が重くなり易く、胸部に負担を掛け、肩こり、あるいは左右のバランスの崩れにより姿勢の悪化を誘発する要因にもなっていた。また、素材自体に通気性がなく体温同様の温度に達するため長時間使用すると大量の発汗と極度の蒸れが発生し装着感が悪化すると共に、臭が発生し人工乳房のカバーを特に夏期等の気温の高い時期にあっては煩雑に取り替える必要があった。
【０００５】
また、スポンジ、ウレタン、空気を充填したタイプの人工乳房では、重量がなく変形し易いため人工乳房自体が簡単に移動してしまいズレや落下、姿勢の悪化を招くという問題があった。
【０００６】
さらにシリコン製人工乳房及びスポンジ、ウレタン素材の人工乳房は一定成型のため千差万別の手術痕形状に対応できない、また、その後の体型変化によるサイズ、形状などの調整が困難で、サイズ等の変更を行う場合には、再度高価な人工乳房を購入する必要が生じていた。
【０００７】
また空気を充填したタイプの人工乳房では、衝撃を受けた時の形状を保持する能力が劣っており、鋭利な物体から衝撃を受けた場合に、胸部の保護が充分に行い得ないものであった。
【課題を解決するための手段】
【０００８】
本考案はこの課題を解決するためになされたものであって、乳房切除後に必要な手術痕保護と切除による体の左右重量バランス、及び乳房形成に必要な場合の外見補整の困難を解決する為に、人工乳房の表面部材を伸縮性と通気性のある繊維で乳房形状に形成し、この表面部材の内側にストレッチ力のあるネット状の編物、または不織布等を細かく裁断した充填材を充填したことを特徴としている。
【０００９】
また、前記充填材は防臭効果を有する材料を用いたことを特徴としている。
【００１０】
また、前記乳房形状に形成された人工乳房の表面部材の端部には充填材を挿入するため、また、充填材の量を調節可能とするための挿入口を設けたことを特徴としている。
【００１１】
さらに、前記乳房形状に形成された人工乳房の表面部材の外表面にタグを設けたことを特徴としている。
【考案の効果】
【００１２】
人工乳房の表面部材に伸縮性のある生地を裁断して用いることで、シリコン等の通気性のない部材を用いた場合に必要な人工乳房カバーの使用を省く事ができる。また、充填材として重量がありストレッチ力のある細かいネット状の編物や不織布等を細かく裁断し詰めることで、通気性を確保し長時間蒸れずに使用できる。
【００１３】
充填材の重量をストレッチ力のある細かいネット状の編物や不織布等の種類を選択することで、人工乳房の総重量の調整を行い、体の左右の人体胸部にかかる重量差をなくし、姿勢の悪化を防ぐことができる。
【００１４】
人工乳房の表面部材は、その胸部に触れない表面側を２枚に裁断した生地を立体縫製し、この表面側と胸部に触れる裏面側で形成された表面部材の中に充填材を詰めることで乳房の形状を造りだし、ブラジャーカップと人工乳房の表面側の隙間、また千差万別の胸部手術部位形状と人工乳房間の隙間に柔軟に対応し、それぞれに隙間が生じるのを防ぐ事ができ、人工乳房のずれや落下を防止できる。
【００１５】
人工乳房の表面部材を立体縫製した柔軟性のある袋にストレッチ力のあるネット状の編物、または不織布等を細かく裁断した充填材を詰めたため、その形状の自由度が高まり、異なる形状のブラジャーカップに対する補整力が高められた。
【００１６】
人工乳房の充填材として防臭効果を持つ素材を使うことで、汗や皮脂汚れから発生するにおいを防ぎ使用者が清潔かつ快適に使用することができるようにした。
【００１７】
縫製の一部に直線の挿入口を付けることで、この挿入口から人工乳房充填材の増減調整が可能なため、使用者が人工乳房内容物量を調整でき、体型の変化にも対応できることから使用者にとって長期使用可能となる。また、この挿入口の位置を左右用で、例えば装着時に胸部の中心からみて外側に位置するように設けることにより、左右用を簡単に識別することが出来る。
【００１８】
人工乳房表面にタグを付けることで洗濯乾燥時のピンチの位置を明確にし、人工乳房の型崩れ防止にも対応した。また、このタグの色を左右用で変えることにより、左右用を簡単に識別することが出来る。
【図面の簡単な説明】
【００１９】
【図１】人工乳房の胸部に接触しない側の正面図
【図２】人工乳房を［図１］の右方向からみた側面図
【図３】人工乳房を［図１］の下方からみた側面図
【図４】人工乳房の胸部に触れる側の裏面図
【図５】人工乳房中の充填材を示した断面図
【考案を実施するための形態】
【００２０】
以下、図面を参照しながら本考案の実施形態を説明する。
伸縮性と通気性がある生地を用いて、人工乳房１の表面部材を形成する。この表面部材の胸部に接触しない表面側部材２，３は、立体縫製するために分割されて形成されている。この表面側部材２，３は、ブラジャーの中に立体的に収まる様に乳房の盛り上がりに相当する膨らみを持つ形状に縫製される。そして、この表面側部材２，３には、胸部手術部位あるいは胸部に接触する裏面側部材４が、後に充填材７を入れる挿入口５となる部分を除き、その周囲において縫製接合され袋状に形成される。裏面側部材４は、生地の合わせ目や縫い目が手術痕側に接触し、苦痛や不快感を感じることが無いように楕円形の縫い目の無い１枚の生地で構成されている。
【００２１】
人工乳房１の表面部材は直接肌に接触する為、肌触りが良く伸縮性、通気性がある（ベア天竺）素材を使用するとよい。
【００２２】
人工乳房１の外観形状としては、次のような形状が考えられる。
１．楕円型補整用タイプ：２種類の充填材７を混合した一定の重量のあるタイプ：乳がんの術後安定期に使用する主に補整効果を重視したタイプ。
２．楕円型保護タイプ：人工乳房充填材７に不織布を使用した軽量タイプ：乳がんの手術直後に使用する手術部位の保護を目的としたタイプ。
３．洋ナシ型補正用タイプ：内容は楕円型補整タイプと同じ：洋ナシ型の為、脇側までカバー出来る他、縦にして胸の上部の保護、補整も可能。
４．洋ナシ型保護タイプ：内容は楕円型保護タイプと同じ：洋ナシ型の為、脇側までカバー出来、縦にして胸の上部の保護も可能。
【００２３】
この袋状の表面部材２，３，４の内側には、重量がありストレッチ力のある細かいネット状の編物や不織布等を細かく裁断した充填材７が選択されて充填される。充填材７の量は、左右の乳房の重量バランスを取れる重量となるように材料の配分を選択することで、人体の受ける左右のアンバランス、過剰な重量感を防ぐことができる。また、この充填材７には、防臭効果を持つ素材を使うことで、汗や皮脂汚れから発生するにおいを防ぎ使用者が清潔かつ快適に使用することができる。
【００２４】
具体的な充填材７としては、伸縮性と重量の違う２種類の繊維、例えば編物状パワーネットを充填材７として細かく（５ｍｍ×５ｍｍ幅）裁断したものを用いる。伸縮性が違う素材のため、小さく（５ｍｍ幅）裁断した際の縮み方が異なり、伸縮性が強い素材は硬く縮み、伸縮性の弱い素材は柔らかく縮むことから組み合わせの割合によって人工乳房全体の弾力性、伸縮性を調節出来ると共に、重量差がある素材の組み合わせの割合によって同一サイズの人工乳房でも重量を増減させる事ができる。例えば、同一重量の人工乳房でも軽い素材の割合を増やす事により詰める量を増やして人工乳房の体積を増やす事ができ、逆に重い素材の割合を増やして人工乳房の体積を減らすことも出来る。ここで充填材７の種類としては２種類に限らず、３種類以上としてもよい。
【００２５】
裁断された充填材７は、上記した５ｍｍ×５ｍｍのサイズに限るものではない。また、その形状は、正方形、平行四辺形、三角形、円形、楕円形等種々の形状が可能である。さらに裁断される１つの充填材７の最長辺と、最短辺の長さに差を設けて裁断すると、繊維が、その収縮力により筒状に丸まるものが生じ、人工乳房内部での充填材７の移動が起きにくく、任意の形状に保持しやすくなる。
【００２６】
また、前記表面側部材２，３には、タグ６が設けられている。このタグ６の設置は、洗濯後にこの人工乳房をこのタグを洗濯挟みに挟んで干す場合に人工乳房が型崩れを起こさない位置に取り付けるとよい。また、このタグ６の色を人工乳房の右用、左用と区別できるように色違いにするとよい。
【００２７】
さらに、表面側部材２，３と裏面側部材４の縫製部の一部には、充填材７を挿入、排除するための前記した挿入口５が設けられている。この挿入口５は、充填材７の挿入後に縫製され閉じられる。この挿入口５から充填される充填材７の量は、増減調整が可能なため、使用者が人工乳房内容物量を調整でき、後の体型の変化にも対応できる。なお、この挿入口５を胸部の中心から外方よりの表面部材の表面側部材と、裏面側部材の縫製部に設けることにより、人工乳房の左右の識別をすることも可能になる。
【符号の説明】
【００２８】
１      人工乳房
２、３  表面部材
４      裏面側部材
５      挿入口
６      タグ
７      充填材
【図１】
0003162979.tif 000003
【図２】
0003162979.tif 000004
【図３】
0003162979.tif 000005
【図４】
0003162979.tif 000006
【図５】
0003162979.tif 000007